【手続補正書】
【提出日】平成24年1月24日(2012.1.24)
【手続補正１】
【補正対象書類名】特許請求の範囲
【補正対象項目名】全文
【補正方法】変更
【補正の内容】
【特許請求の範囲】
【請求項１】
非可逆符号化により生成された画像ストリームを復号した復号画像データのノイズ成分を除去する画像処理装置であって、
入力フレームの各ブロックの水平エッジの強度を測定する水平エッジ強度測定手段と、
前記入力フレームの各ブロックの垂直エッジの強度を測定する垂直エッジ強度測定手段と、
前記水平エッジ強度測定手段及び前記垂直エッジ強度測定手段により測定された水平及び垂直のエッジ強度を格納するエッジ強度格納手段と、
前記エッジ強度格納手段に格納した前記水平及び垂直のエッジ強度に基づいて、ノイズを除去すべきブロックを特定するためのノイズ除去フラグを算出するノイズ除去フラグ算出手段と、
前記ノイズ除去フラグ算出手段で算出されたノイズ除去フラグを格納するノイズ除去フラグ格納手段と、
入力した現フレームのエッジ強度と前記エッジ強度格納手段に格納された直前フレームのエッジ強度及び前記ノイズ除去フラグに基づいて、ノイズ除去を施すフィルタを制御する制御信号を出力するフィルタ制御手段と、
前記フィルタ制御手段からの前記制御信号に応じて前記現フレームに対するフィルタリング処理を行うフィルタ手段と
を有することを特徴とする画像処理装置。
【請求項２】
前記ノイズ除去フラグ算出手段は、
前記エッジ強度格納手段を参照して各ブロックのエッジ強度を取得する手段と、
前記取得したエッジ強度が第１の所定値よりも大きい第１ブロックと、当該第１ブロックに隣接し、前記第１ブロックのエッジ強度よりも第２の所定値以上小さいエッジ強度を有する第２ブロックを求める手段とを有し、
前記ノイズ除去フラグは、前記第２ブロックを特定する情報であることを特徴とする請求項１に記載の画像処理装置。
【請求項３】
前記フィルタ制御手段は、
前記水平エッジ強度測定手段と前記垂直エッジ強度測定手段により測定された現フレームのブロックのエッジ強度と、前記エッジ強度格納手段に格納された直前フレームの、前記現フレームのブロックに対応するブロックのエッジ強度との差分と、フィルタ強度の強度乗数との積に基づいてフィルタの強度を算出し、前記ノイズを除去すべきブロックに対する前記制御信号を出力することを特徴とする請求項１又は２に記載の画像処理装置。
【請求項４】
前記ブロックのエッジ強度は、当該ブロックの水平エッジ強度と垂直エッジ強度との和であることを特徴とする請求項３に記載の画像処理装置。
【請求項５】
前記差分に対応して前記強度乗数を記憶するフィルタ強度乗数テーブルを更に有し、前記フィルタ制御手段は前記フィルタ強度乗数テーブルを参照して前記強度乗数を取得することを特徴とする請求項３又は４に記載の画像処理装置。
【請求項６】
前記エッジ強度格納手段は、１フレーム分の水平及び垂直のエッジ強度を格納するバンクを少なくとも２つ有するバンク構成のメモリを有し、一方のバンクにエッジ強度を格納しながら他方のバンクからエッジ強度の読み出しが可能であるように構成されていることを特徴とする請求項１乃至５のいずれか１項に記載の画像処理装置。
【請求項７】
前記ノイズ除去フラグ格納手段は、１フレーム分のノイズ除去フラグを格納するバンクを少なくとも２つ有するバンク構成のメモリを有し、一方のバンクにノイズ除去フラグを格納しながら他方のバンクからノイズ除去フラグの読み出しが可能であるように構成されていることを特徴とする請求項１乃至６のいずれか１項に記載の画像処理装置。
【請求項８】
非可逆符号化により生成された画像ストリームを復号した復号画像データのノイズ成分を除去する画像処理装置としてコンピュータを機能させるために、当該コンピュータを、請求項１乃至７のいずれか１項に記載の画像処理装置として機能させるためのプログラム。
【請求項９】
請求項８に記載のプログラムを記憶した、コンピュータにより読み取り可能な記憶媒体。
【請求項１０】
非可逆符号化により生成された画像ストリームを復号した復号画像データのノイズ成分を除去する画像処理装置の画像処理方法であって、
入力フレームの各ブロックの水平エッジの強度を測定する水平エッジ強度測定工程と、
前記入力フレームの各ブロックの垂直エッジの強度を測定する垂直エッジ強度測定工程と、
前記水平エッジ強度測定工程及び前記垂直エッジ強度測定工程で測定された水平及び垂直のエッジ強度を格納するエッジ強度格納工程と、
前記エッジ強度格納工程で格納した前記水平及び垂直のエッジ強度に基づいて、ノイズを除去すべきブロックを特定するためのノイズ除去フラグを算出するノイズ除去フラグ算出工程と、
前記ノイズ除去フラグ算出工程で算出されたノイズ除去フラグを格納するノイズ除去フラグ格納工程と、
入力した現フレームのエッジ強度と前記エッジ強度格納工程で格納された直前フレームのエッジ強度及び前記ノイズ除去フラグに基づいて、ノイズ除去を施すフィルタを制御する制御信号を出力するフィルタ制御工程と、
前記フィルタ制御工程で出力された前記制御信号に応じて前記現フレームに対するフィルタリング処理を行うフィルタ工程と
を有することを特徴とする画像処理装置の画像処理方法。
【手続補正２】
【補正対象書類名】明細書
【補正対象項目名】０００９
【補正方法】変更
【補正の内容】
【０００９】
上記目的を達成するために本発明の一態様に係る画像処理装置は以下のような構成を備える。即ち、
非可逆符号化により生成された画像ストリームを復号した復号画像データのノイズ成分を除去する画像処理装置であって、
入力フレームの各ブロックの水平エッジの強度を測定する水平エッジ強度測定手段と、
前記入力フレームの各ブロックの垂直エッジの強度を測定する垂直エッジ強度測定手段と、
前記水平エッジ強度測定手段及び前記垂直エッジ強度測定手段により測定された水平及び垂直のエッジ強度を格納するエッジ強度格納手段と、
前記エッジ強度格納手段に格納した前記水平及び垂直のエッジ強度に基づいて、ノイズを除去すべきブロックを特定するためのノイズ除去フラグを算出するノイズ除去フラグ算出手段と、
前記ノイズ除去フラグ算出手段で算出されたノイズ除去フラグを格納するノイズ除去フラグ格納手段と、
入力した現フレームのエッジ強度と前記エッジ強度格納手段に格納された直前フレームのエッジ強度及び前記ノイズ除去フラグに基づいて、ノイズ除去を施すフィルタを制御する制御信号を出力するフィルタ制御手段と、
前記フィルタ制御手段からの前記制御信号に応じて前記現フレームに対するフィルタリング処理を行うフィルタ手段と
を有することを特徴とする。
【手続補正３】
【補正対象書類名】明細書
【補正対象項目名】００１０
【補正方法】変更
【補正の内容】
【００１０】
上記目的を達成するために本発明の一態様に係る画像処理装置の画像処理方法は以下のような工程を備える。即ち、
非可逆符号化により生成された画像ストリームを復号した復号画像データのノイズ成分を除去する画像処理装置の画像処理方法であって、
入力フレームの各ブロックの水平エッジの強度を測定する水平エッジ強度測定工程と、
前記入力フレームの各ブロックの垂直エッジの強度を測定する垂直エッジ強度測定工程と、
前記水平エッジ強度測定工程及び前記垂直エッジ強度測定工程で測定された水平及び垂直のエッジ強度を格納するエッジ強度格納工程と、
前記エッジ強度格納工程で格納した前記水平及び垂直のエッジ強度に基づいて、ノイズを除去すべきブロックを特定するためのノイズ除去フラグを算出するノイズ除去フラグ算出工程と、
前記ノイズ除去フラグ算出工程で算出されたノイズ除去フラグを格納するノイズ除去フラグ格納工程と、
入力した現フレームのエッジ強度と前記エッジ強度格納工程で格納された直前フレームのエッジ強度及び前記ノイズ除去フラグに基づいて、ノイズ除去を施すフィルタを制御する制御信号を出力するフィルタ制御工程と、
前記フィルタ制御工程で出力された前記制御信号に応じて前記現フレームに対するフィルタリング処理を行うフィルタ工程と
を有することを特徴とする。